(57)【要約】【課題】明るくて均一な発光を実現することができる導光体を提供すること。【解決手段】本発明に係る導光体６は、長手方向一端の入射面から入射する光を全反射させながら長手方向他端へと導く過程で、周面の一部に形成されたカット面６ｃで拡散させ、その拡散光を周面に形成された出射面６ａから出射させることによって発光するものであって、横断面形状において、前記出射面６ａを半円とし、反射面６ｂを前記出射面６ａの両端に連なる一対の円弧凹曲面状として構成し、一対の反射面６ｂを反出射面側に平行に延ばしてカット部６Ａとすることによって銀杏形の横断面形状とするとともに、前記カット部６Ａの端面に光拡散用のカットを施してカット面６ｃとすることによって構成される。【選択図】図２
2017041368.tif 000002
【特許請求の範囲】
【請求項１】
長手方向一端の入射面から入射する光を全反射させながら長手方向他端へと導く過程で、周面の一部に形成されたカット面で拡散させ、その拡散した光を周面に形成された出射面から出射させることによって発光する導光体であって、
横断面形状において、前記出射面を半円とし、反射面を前記出射面の両端に連なる一対の円弧凹曲面状として構成し、一対の反射面を反出射面側に平行に延ばしてカット部とすることによって銀杏形の横断面形状とするとともに、前記カット部の端面に光拡散用のカットを施してカット面とすることによって構成されることを特徴とする導光体。
【請求項２】
ハウジングとその開口部を覆うアウタレンズによって画成された灯室内に、少なくとも光源と、請求項１記載の導光体を収容して構成されることを特徴とする車両用灯具。
【発明の詳細な説明】
【技術分野】
【０００１】
本発明は、長手方向一端の入射面から入射する光を長手方向他端に導く過程で拡散させて出射面から出射させることによって発光する導光体とこれを備える車両用灯具に関するものである。
【背景技術】
【０００２】
例えば、ポジションランプ等の車両用灯具には、光源と、該光源からの光を長手方向一端の入射面から入射させて周面の出射面から出射させる導光体を備えたものがある（例えば、特許文献１参照）。ここで、従来の導光体の一例を図４に示す。
【０００３】
即ち、図４は従来の導光体の横断面図であり、図４の紙面垂直方向に長い導光体１０６の長手方向一端には平坦な入射面（不図示）が形成されており、周面の一部は凸状の円弧曲面を成す出射面１０６ａとされている。又、導光体１０６の出射面１０６ａに対向する反対側の面には、凹溝状の平坦なカット面１０６ｃが形成されており、このカット面１０６ｃには拡散用の不図示のカットが長手方向（図４の紙面垂直方向）に沿って連続的に形成されている。尚、図示しないが、導光体１０６の長手方向一端に形成された入射面の近傍には、ＬＥＤ（発光ダイオード）等の光源が入射面に対向して配置されている。
【０００４】
斯かる導光体１０６において、不図示の光源から出射する光が長手方向一端の入射面から該導光体１０６の内部に入射すると、この入射した光は、導光体１０６の内部で全反射を繰り返しながら長手方向他端側へと導かれる過程で、導光体１０６のカット面１０６ｃに形成されたカットによって屈折・拡散して図４に矢印にて示すように導光体１０６の出射面１０６ａから出射するため、当該導光体１０６の全体が発光する。
【先行技術文献】
【特許文献】
【０００５】
【特許文献１】特開２０１０−２７２４６９号公報
【発明の概要】
【発明が解決しようとする課題】
【０００６】
しかしながら、図４に示す従来の導光体１０６にあっては、カット面１０６ｃで拡散した光が出射面１０６ａでそのまま拡散して出射するため、明るくて均一な発光が実現しないという問題がある。
【０００７】
本発明は上記問題に鑑みてなされたもので、その目的とする処は、明るくて均一な発光を実現することができる導光体とこれを備えた車両用灯具を提供することにある。
【課題を解決するための手段】
【０００８】
上記目的を達成するため、請求項１記載の導光体は、長手方向一端の入射面から入射する光を全反射させながら長手方向他端へと導く過程で、周面の一部に形成されたカット面で拡散させ、その拡散した光を周面に形成された出射面から出射させることによって発光するものであって、横断面形状において、前記出射面を半円とし、反射面を前記出射面の両端に連なる一対の円弧凹曲面状として構成し、一対の反射面を反出射面側に平行に延ばしてカット部とすることによって銀杏形の横断面形状とするとともに、前記カット部の端面に光拡散用のカットを施してカット面とすることによって構成されることを特徴とする。
【０００９】
請求項２記載の車両用灯具は、ハウジングとその開口部を覆うアウタレンズによって画成された灯室内に、少なくとも光源と、請求項１記載の導光体を収容して構成されることを特徴とする。
【発明の効果】
【００１０】
請求項１記載の発明によれば、導光体のカット部のカット面で拡散した光が反射面で反射することによって、その反射光が出射面に集まる傾向が現れ、集まった光がその状態を保ったまま出射面から出射するため、当該導光体の明るくて均一な発光が実現する。
【００１１】
請求項２記載の発明によれば、請求項１記載の導光体を備える車両用灯具において、導光体が明るく均一に発光するため、当該車両用灯具の良好な点灯が実現してその視認性が高められる。
【図面の簡単な説明】
【００１２】
【図１】本発明に係る車両用灯具の正面図である。
【図２】本発明に係る導光体の横断面図（図１のＡ−Ａ線断面図）である。
【図３】本発明に係る導光体における光の出射状態を示す横断面図である。
【図４】従来の導光体の横断面図である。
【発明を実施するための形態】
【００１３】
以下に本発明の実施の形態を添付図面に基づいて説明する。
【００１４】
図１は本発明に係る車両用灯具の正面図、図２は本発明に係る導光体の横断面図（図１のＡ−Ａ線断面図）、図３は同導光体における光の出射状態を示す横断面図である。
【００１５】
図１に示す車両用灯具１は、車両の前部左右に配置されるフロントコンビネーションランプとして使用されるものであって、ハウジング２とその前面開口部を覆う透明なアウタレンズ（不図示）によって画成される灯室内に、機能が異なる灯具ユニットとして走行ビーム用ランプ３とターンシグナルランプ４及びポジションランプ５を収容して構成されている。尚、フロントコンビネーションランプとして使用される左右の車両用灯具１の基本構成は同じであるため、以下、一方の車両用灯具１についてのみ図示及び説明する。
【００１６】
上記ポジションランプ５は、本発明に係る導光体６を使用するものであって、この導光体６は、車幅方向（図１の左右方向）に延びる棒状の部材であって、導光性の高いアクリル、ポリカーボネイト等の透明樹脂によって構成されている。尚、この導光体６の長手方向両端面は平坦な入射面を構成しており、この入射面の近傍には、光源である不図示のＬＥＤが入射面に対向するように配置されている。
【００１７】
而して、導光体６は、図２に示すように、銀杏形（銀杏の葉の形状）の横断面形状を有している。具体的には、導光体６においては、周面の半分（図２の右半分）が出射面６ａとされており、この出射面６ａは、その横断面形状が半円とされ、この出射面６ａの両端（図２の上下端）には、一対の円弧凹曲面状の反射面６ｂが連なっている。即ち、導光体６の横断面形状において、半円の出射面６ａを含む包絡円の出射面６ａとは反対側（図２の左側）には、図２において上下一対の円弧凹曲面状の反射面６ｂが配置されている。そして、これらの一対の反射面６ｂは、包絡円から反出射面方向（図２の左方向）に平行に延びており、この延長部分がカット部６Ａとされ、このカット部６Ａの垂直な端面は、長手方向に連続して光拡散用のカットが形成されたカット面６ｃとされている。
【００１８】
ここで、導光体６の最適な横断面形状の一例を具体的な数値で示すと、図２に示す導光体６の出射面６ａを含む包絡円の直径Ｄ、包絡円の中心からカット面６ｃまでの距離Ａ、カット部６Ａの延長長さＢ、カット面６ｃの厚さＣは、
Ｄ＝φ７ｍｍ
Ａ＝４．５ｍｍ
Ｂ＝１ｍｍ
Ｃ＝１ｍｍ
となる。
【００１９】
以上のような横断面形状を備える導光体６において、その長手方向両端近傍に設置された不図示のＬＥＤから出射する光が入射面から該導光体６の内部に入射すると、この入射した光は、導光体６の内部で全反射を繰り返しながら長手方向に沿って互いに逆方向に進む過程で、図３に矢印にて示すように、カット部６Ａのカット面６ｃに施されたカットによって拡散する。そして、拡散した光は、一対の反射面６ｂで反射して集まりながら出射面６ａに向かい、集まった光がその状態を保ったまま出射面６ａから出射するため、当該導光体６が明るくて均一に発光する。
【００２０】
そして、斯かる導光体６を備えるポジションランプ５においては、導光体６が明るく均一に発光するため、当該ポジションランプ５の良好な点灯が実現してその視認性が高められる。
【００２１】
尚、以上は本発明をフロントコンビネーションランプに備えられたポジションランプとこれに設けられた導光体に対して適用した形態について説明したが、本発明は、他の任意の車両用灯具とこれに設けられた導光体に対しても同様に適用可能であることは勿論である。
【符号の説明】
【００２２】
１      車両用灯具
２      ハウジング
３      走行ビーム用ランプ
４      ターンシグナルランプ
５      ポジションランプ
６      導光体
６Ａ    導光体のカット部
６ａ    導光体の出射面
６ｂ    導光体の反射面
６ｃ    導光体のカット面
【図１】
2017041368.tif 000003
【図２】
2017041368.tif 000004
【図３】
2017041368.tif 000005
【図４】
2017041368.tif 000006